(57)【要約】【課題】アームレストの上に肘や腕を乗せた状態でもティシュペーパを取出すことができるアームレスト装置を提供する。【解決手段】アームレスト装置１０Ａは、シート１１の側部に設けられた回動軸２０を中心に第１の位置と第２の位置とにわたってシート１１の前後方向に回動可能なアームレスト本体２１を有している。またこのアームレスト装置１０Ａは、アームレスト本体２１が前記第１の位置よりも下方に移動することを規制するストッパ３０を有している。アームレスト本体２１は、テッシュパッケージを収納する収納室４０と、アームレスト本体２１が前記第１の位置に移動した状態において下を向く底板４３と、底板４３に形成されたスリット状のペーパ取出し口５０とを有している。【選択図】図１
2014188358.tif 000002
【特許請求の範囲】
【請求項１】
シートに配置されるアームレスト装置であって、
前記シートの側部に設けられた回動軸を中心に第１の位置と第２の位置とにわたって前記シートの前後方向に回動可能なアームレスト本体と、
前記アームレスト本体が前記第１の位置よりも下方に移動することを規制するストッパと、
前記アームレスト本体の内部に形成され、テッシュパッケージを収容可能な収納室と、
前記アームレスト本体が前記第１の位置に移動した状態において下を向く底板と、
前記底板に形成され、前記アームレスト本体の長手方向に延び、前記収納室内のテッシュペーパを取出すことができるペーパ取出し口と、
を具備したことを特徴とするアームレスト装置。
【請求項２】
前記収納室が、前記テッシュパッケージを収納する第１の収納部と、前記テッシュパッケージ以外の物品を収納可能な第２の収納部とを有したことを特徴とする請求項１に記載のアームレスト装置。
【請求項３】
前記アームレスト本体が前記収納室の開口を開閉するリッドを有し、該リッドを閉じた状態において前記テッシュパッケージを前記底板に向けて付勢する弾性部材をさらに有したことを特徴とする請求項１に記載のアームレスト装置。
【請求項４】
前記テッシュパッケージの大きさに応じた位置に移動させることが可能な移動式の調整部材をさらに備えたことを特徴とする請求項１から３のいずれか１項に記載のアームレスト装置。
【請求項５】
前記テッシュパッケージの大きさに応じた位置に取付けることが可能な着脱式の調整部材をさらに備えたことを特徴とする請求項１から３のいずれか１項に記載のアームレスト装置。
【請求項６】
前記アームレスト本体が、前記回動軸によって第１の方向と第２の方向とに回動可能なベース部材と、該ベース部材に対して前記回動軸と直交する方向に延びる反転軸を中心に非反転位置と反転位置とに回転可能なボックス部と、前記ベース部材に対して前記ボックス部を前記非反転位置に保持するための回り止め機構とを有したことを特徴とする請求項１から５のいずれか１項に記載のアームレスト装置。
【発明の詳細な説明】
【技術分野】
【０００１】
この発明は、車両等のシートに着座した人が肘や腕を掛けることができ、不使用時には格納位置に移動させることが可能な回動式のアームレスト装置に関する。
【背景技術】
【０００２】
車両のシートに設けるアームレストは、シートに着座した人が肘や腕を掛けることができるようにシートの側部に配置されている。また、アームレストの不使用時に邪魔にならないようにするために、アームレストを起立させて背もたれに沿わせた位置で格納することができるような回動式のアームレストも知られている。
【０００３】
回動式のアームレストは、シートの側部に設けられた回動軸を中心に第１の位置と第２の位置とにわたって回動可能に支持され、アームレストを使用する際に前記回動軸を中心に前側の第１の位置に移動させることによって肘や腕を乗せることができる状態とし、不使用時には前記回動軸を中心に第２の位置に起立させることができるように構成されている。また特許文献１や特許文献２に記載されているように、アームレストの内部にテッシュボックス等の物品を収容可能な収納室を備えたアームレストも提案されている。
【先行技術文献】
【特許文献】
【０００４】
【特許文献１】特開平１０−２４７７１号公報
【特許文献２】実開昭６１−９０４５８号公報
【発明の概要】
【発明が解決しようとする課題】
【０００５】
特許文献１や特許文献２のようにテッシュボックス等の物品を収納可能な従来のアームレストは、テッシュペーパを取出すためのスリット状のペーパ取出し口がアームレストの上面に形成されている。このため従来のアームレストは、アームレストの上に肘や腕を乗せた状態ではティシュペーパをペーパ取出し口から取出すことができず、不便である。
【０００６】
また、アームレストが起立している状態でテッシュペーパを取出す場合に、テッシュペーパをペーパ取出し口から抜く際にリッドが開いてテッシュボックスが収納室から落ちてしまうこともある。しかも前側のシートに人が座っているときには、後側のシートに座っている人が前側のシートのアームレストに収納されたティシュペーパを取出しにくいという問題もあった。
【０００７】
また回動式のアームレストは、使用位置から下方に回動してしまうことを防ぐために、何らかのストッパを備えているが、アームレストに加わる上向きの力に対してはフリーであり、上方に動ける状態となっている。このため従来の回動式のアームレストに収納室を設けた場合、収納室内のテッシュペーパを上方に取出す際に上方の力が加わると、アームレストが上方に移動してしまうことがあるなど、改善の余地があった
従ってこの発明は、シートに座っている人がアームレスト上に肘や腕を乗せた状態でも、収納室内のティシュペーパを取出すことができ、また、後側のシートに座っている人が前側のシートに設けられているアームレストの収納室内からティシュペーパを取出すことが可能なアームレスト装置を提供することにある。
【課題を解決するための手段】
【０００８】
アームレスト装置の１つの実施形態は、シートの側部に設けられた回動軸を中心に第１の位置と第２の位置とにわたって前記シートの前後方向に回動可能なアームレスト本体と、前記アームレスト本体が前記第１の位置よりも下方に移動することを規制するストッパと、前記アームレスト本体の内部に形成され、テッシュパッケージを収容可能な収納室と、前記アームレスト本体が前記第１の位置に移動した状態において下を向く底板と、前記底板に形成され前記アームレスト本体の長手方向に延びて前記収納室内のテッシュペーパを取出すことができるペーパ取出し口とを具備している。
【０００９】
１つの実施形態では、前記収納室が前記テッシュパッケージを収納する第１の収納部と、前記テッシュパッケージ以外の物品を収納可能な第２の収納部とを有していてもよい。また、前記アームレスト本体が前記収納室の開口を開閉するリッドを有し、該リッドを閉じた状態において前記テッシュパッケージを前記底板に向けて付勢する弾性部材をさらに有していてもよい。また前記テッシュパッケージの大きさに応じた位置に移動させることが可能な移動式の調整部材を備えていてもよいし、テッシュパッケージの大きさに応じた位置に取付けることが可能な着脱式の調整部材を備えていてもよい。
【００１０】
また、前記アームレスト本体が、前記回動軸によって第１の方向と第２の方向とに回動可能なベース部材と、該ベース部材に対して前記回動軸と直交する方向に延びる反転軸を中心に非反転位置と反転位置とに回転可能なボックス部と、前記ベース部材に対して前記ボックス部を前記非反転位置に保持するための回り止め機構とを有していてもよい。
【発明の効果】
【００１１】
本発明によれば、ティシュペーパを収容可能な収納部を有したアームレスト装置において、アームレスト本体が第１の位置にあるときにアームレスト本体の上に肘や腕を乗せていてもティシュペーパをアームレスト本体の下側から取出すことができる。また、前側のシートに設けられたアームレストに収容されたティシュペーパを後側のシートに座っている人が取出すこともできる。しかもテッシュペーパを取出す際にアームレスト本体に加わる力が、第１の方向すなわちストッパによってアームレスト本体の移動が阻止されている方向に作用するため、テッシュペーパを抜く際にアームレスト本体が動いてしまったり、リッドが開いてティシュパッケージが収納室から出てしまうことも回避できる。
【図面の簡単な説明】
【００１２】
【図１】第１の実施形態に係るアームレスト装置を備えたシートのアームレスト本体が第１の位置に移動した状態の斜視図。
【図２】図１に示されたアームレスト装置のアームレスト本体が第２の位置に移動した状態の斜視図。
【図３】図１に示されたアームレスト装置のストッパの一例を示す側面図。
【図４】図１に示されたアームレスト装置のリッドを開けた状態の斜視図。
【図５】第２の実施形態に係るアームレスト装置のリッドを開けた状態の斜視図。
【図６】第３の実施形態に係るアームレスト装置の底板を移動させた状態の斜視図。
【図７】第４の実施形態に係るアームレスト装置の断面図。
【図８】（Ａ）は第５の実施形態に係るアームレスト装置の断面図、（Ｂ）は同アームレスト装置のリッドを閉じた状態の断面図。
【図９】（Ａ）は第６の実施形態に係るアームレスト装置の断面図、（Ｂ）は同アームレスト装置のリッドを閉じた状態の断面図。
【図１０】第７の実施形態に係るアームレスト装置の一部の断面図。
【図１１】第８の実施形態に係るアームレスト装置の断面図。
【図１２】第９の実施形態に係るアームレスト装置の一部の断面図。
【図１３】第１０の実施形態に係るアームレスト装置の幅方向に沿う断面図。
【図１４】第１１の実施形態に係るアームレスト装置を備えたシートの斜視図。
【図１５】図１４に示されたアームレスト装置の斜視図。
【図１６】図１４に示されたアームレスト装置の水平方向に沿う断面図。
【図１７】図１４に示されたアームレスト装置のボックス部が反転した状態の斜視図。
【図１８】図１７に示されたアームレスト装置のアームレスト本体を第２の位置に移動させた状態の斜視図。
【図１９】図１８に示されたアームレスト装置とシートの側面図。
【発明を実施するための形態】
【００１３】
以下に本発明の第１の実施形態に係るアームレスト装置について、図１から図４を参照して説明する。  
図１に示すアームレスト装置１０Ａは、車両のシート１１の背もたれ１２の側部に配置されている。背もたれ１２は、座部１３の後端から上方に立ち上がるように配置されている。アームレスト装置１０Ａは、回動軸２０を中心にシート１１の前後方向に回動可能な回動式のアームレスト本体２１を備えている。回動軸２０は背もたれ１２のフレーム１２ａの側部に設けられている。
【００１４】
アームレスト本体２１は、図１に示す第１の位置と、図２に示す第２の位置とにわたってシート１１の前後方向に回動可能である。ここで第１の位置とは、アームレスト本体２１を図１に矢印Ｒ１で示す第１の方向に回動降下させることによって、アームレスト本体２１の上に肘や腕を乗せることができる位置であり、この明細書では便宜上、使用位置と呼ぶことがある。これに対し第２の位置は、アームレスト本体２１を図２に矢印Ｒ２で示す第２の方向に起立させることによって、アームレスト本体２１を背もたれ１２に沿わせた位置であり、この明細書では便宜上、格納位置と呼ぶことがある。
【００１５】
このようにアームレスト本体２１は、回動軸２０を中心に、第１の位置（使用位置）と第２の位置（格納位置）とにわたって、第１の方向Ｒ１と第２の方向Ｒ２とに回動することができる。アームレスト本体２１が第１の位置に移動した状態において、アームレスト本体２１の下方には、シート１１の前側または後側から人が手を入れることのできる大きさの空間Ｓが形成されている。
【００１６】
回動軸２０は、背もたれ１２のフレーム１２ａから車両の幅方向（略水平方向）に延びている。アームレスト本体２１は、第１の位置（図１）のときに、シート１１に座っている人が肘や腕を乗せることができるように、車両の前後方向に長い形状をなしている。図１に示された矢印Ｘは、アームレスト本体２１の長手方向を示している。矢印Ｙは車両の幅方向、矢印Ｚは上下方向を示している。
【００１７】
このアームレスト装置１０Ａは、アームレスト本体２１が第１の位置よりも下方に移動することを防ぐためのストッパ３０を備えている。図３はストッパ３０の一例を示している。ストッパ３０の一例は、以下に説明するようにアームレスト本体２１を所望の傾き角度で段階的に止めることができる構造であるが、ストッパの他の例では、単にアームレスト本体２１が第１の位置（使用位置）よりも下がらないように止める機能だけを有していてもよい。
【００１８】
図３に示されたストッパ３０の一例は、回動軸２０を中心とする円弧上に形成されたラチェット歯３２を有する歯付きプレート３３と、ラチェット歯３２に係合可能なラチェット爪３４と、ラチェット爪３４をラチェット歯３２に係合させる方向に付勢するばね３５と、アームレスト本体２１が第２の位置まで回動上昇した状態においてラチェット爪３４をラチェット歯３２から離す解除板３６を有している。アームレスト本体２１を第２の位置まで移動させると、解除板３６によってラチェット爪３４がラチェット歯３２から離れることにより、アームレスト本体２１がフリー状態となり、第１の位置に向かってアームレスト本体２１を第１の方向Ｒ１に回動させることができるようになる。
【００１９】
アームレスト本体２１を一旦第１の位置まで移動させたのち、第２の位置に向かって移動させる途中で、アームレスト本体２１を止めて第１の方向Ｒ１に力を加えると、ラチェット爪３４がラチェット歯３２に係合する。このため、アームレスト本体２１に加わる下向きの荷重（第１の方向Ｒ１に加わる荷重）に対して、アームレスト本体２１が第１の方向Ｒ１に動いてしまうことを規制できる。このためアームレスト本体２１に肘や腕を乗せているときに、アームレスト本体２１が下がってしまうことを防止できる。
【００２０】
図４は、アームレスト装置１０Ａの長手方向Ｘに沿う断面図である。アームレスト本体２１は、テッシュパッケージＴ１を収納可能な大きさの収納室４０を有するボックス部４１と、ボックス部４１を覆うリッド４２と、収納室４０の底壁をなす底板４３とを有している。リッド４２には、肘や腕を乗せても痛くないようにソフトな材質からなるパッド部材４４が設けられている。リッド４２を開けると、収納室４０の開口４５を通じてテッシュパッケージＴ１を出し入れすることができる。リッド４２は、収納室４０の開口４５を塞ぐための蓋部材として機能する。
【００２１】
リッド４２は、ボックス部４１に対してヒンジ部４６を中心に回動可能であり、保持機構４７によって閉位置に保持することができる。保持機構４７としては、例えばマグネット４７ａと鉄板４７ｂとからなるマグネット式ファスナを採用することができるが、他の形態の係脱可能な保持機構（例えば爪部材と、爪部材を受ける係止部などからなる保持機構）でもよいし、あるいはばね等の弾性部材によってリッド４２を閉方向に付勢する構造であってもよい。
【００２２】
テッシュパッケージＴ１の一例は、箱形の紙製容器の内部に複数のテッシュペーパｔ１を重ねて収容したものである。テッシュパッケージＴ１の他の形態として、例えばビニール袋等の樹脂製の容器の内部に複数のテッシュペーパｔ１を重ねて収容したものであってもよい。
【００２３】
底板４３は、アームレスト本体２１が第１の位置（図１に示す）に移動した状態において下を向き、収納室４０の底面（底壁）を構成している。そしてこの底板４３に、収納室４０に連通するスリット状のペーパ取出し口５０が形成されている。ペーパ取出し口５０は、アームレスト本体２１が第１の位置に移動した状態において、下方を向いて開口している。またこのペーパ取出し口５０は、アームレスト本体２１が第１の位置に移動した状態において、車両の前後方向（アームレスト本体２１の長手方向Ｘ）に延びている。
【００２４】
本実施形態のアームレスト装置１０Ａによれば、アームレスト本体２１が第１の位置に移動した状態において、ボックス部４１のペーパ取出し口５０が下を向くため、このペーパ取出し口５０からテッシュペーパｔ１の一部をアームレスト本体２１の下側の空間Ｓに出しておくことができる。このためアームレスト本体２１の上に肘や腕が乗っていても、アームレスト本体２１の下側の空間Ｓに手を入れてペーパ取出し口５０からテッシュペーパｔ１を下方に引き出すことができる。またシート１１の後側に配置されているシートに座っている人も、アームレスト本体２１の下側からテッシュペーパｔ１を取出すことができる。
【００２５】
本実施形態のアームレスト装置１０Ａは、ペーパ取出し口５０からテッシュペーパｔ１を抜く際に、アームレスト本体２１に加わる力Ｍ（図４に示す）がストッパ３０によって移動が規制されている第１の方向Ｒ１に作用する。ここでアームレスト本体２１は、ストッパ３０によって第１の位置よりも下方に移動することが阻止されているため、テッシュペーパｔ１がペーパ取出し口５０から抜ける際の摩擦等によってアームレスト本体２１に第１の方向Ｒ１の力がかかっても、アームレスト本体２１が第１の方向Ｒ１に移動してしまうことを防止できる。しかもテッシュペーパｔ１を取出す際にアームレスト本体２１に加わる力Ｍ（図４に示す）は、リッド４２が開く方向とは逆の方向に作用するため、テッシュペーパｔ１が抜ける際にリッド４２が開いてしまうことも回避できる。
【００２６】
図５は、第２の実施形態に係るアームレスト装置１０Ｂの斜視図である。このアームレスト装置１０Ｂは、ボックス部４１の長手方向Ｘの一方の端面に、収納室４０に通じる開口４５が形成され、この開口４５をリッド６２によって開閉するように構成されている。そしてリッド６２を閉位置に保持するために、例えば爪部材４７ｃと係止部４７ｄと操作部４７ｅなどからなる保持機構４７を有している。それ以外の構成と作用について、このアームレスト装置１０Ｂは第１の実施形態のアームレスト装置１０Ａと共通であるため、両者に共通の箇所に共通の符号を付して説明を省略する。
【００２７】
図６は、第３の実施形態に係るアームレスト装置１０Ｃの斜視図である。このアームレスト装置１０Ｃは、スライド式の底板４３を有している。スライド式の底板４３は、ボックス部４１に形成されたガイド４１ａに沿って、収納室４０の開口４５を開閉する方向（図６に矢印Ｘ１で示す方向）に移動させることができ、底板４３を開けた状態において、テッシュパッケージＴ１を収納室４０に出し入れすることができる。それ以外の構成と作用について、このアームレスト装置１０Ｃは第１の実施形態のアームレスト装置１０Ａと共通であるため、両者に共通の箇所に共通の符号を付して説明を省略する。
【００２８】
図７は、第４の実施形態に係るアームレスト装置１０Ｄの断面図である。このアームレスト装置１０Ｄは、テッシュパッケージＴ１を収納する第１の収納室４０ａと、テッシュパッケージ以外の物品ｔ２を収納可能な第２の収納室４０ｂおよび第３の収納室４０ｃを備えている。これら収納室４０ａ，４０ｂ，４０ｃを仕切るために仕切板６５，６６が設けられていてもよい。それ以外の構成と作用について、このアームレスト装置１０Ｄは第１の実施形態のアームレスト装置１０Ａと共通であるため、両者に共通の箇所に共通の符号を付して説明を省略する。
【００２９】
図８（Ａ）（Ｂ）は、第５の実施形態に係るアームレスト装置１０Ｅの断面図である。図８（Ａ）はリッド４２を開けた状態を示し、図８（Ｂ）はリッド４２を閉じた状態を示している。このアームレスト装置１０Ｅは、収納室４０に収容されたテッシュパッケージＴ１を底板４３に向かって押付けることが可能なばねからなる弾性部材７０と、押さえ板７１とを備えている。リッド４２を閉じた状態において、収納室４０内のテッシュパッケージＴ１が移動することを、弾性部材７０と押さえ板７１とによって防ぐことができる。
【００３０】
市販の箱形のテッシュパッケージＴ１のサイズはまちまちであり、例えば厚さが６ｃｍ〜１０ｃｍとばらつきがある。この厚さのばらつきを弾性部材７０によって吸収することが可能である。それ以外の構成と作用について、このアームレスト装置１０Ｅは第１の実施形態のアームレスト装置１０Ａと共通であるため、両者に共通の箇所に共通の符号を付して説明を省略する。
【００３１】
図９（Ａ）（Ｂ）は、第６の実施形態に係るアームレスト装置１０Ｆの断面図である。図９（Ａ）はリッド４２を開けた状態を示し、図９（Ｂ）はリッド４２を閉じた状態を示している。このアームレスト装置１０Ｆは、収納室４０内に収容されたテッシュパッケージＴ１を底板４３に向かって押付けることができるゴム状弾性体あるいは弾性を有する樹脂の発泡体からなる弾性部材７５を備えている。リッド４２を閉じた状態において、収納室４０内のテッシュパッケージＴ１が移動することを、弾性部材７５によって防ぐことができる。それ以外の構成と作用について、このアームレスト装置１０Ｆは第５の実施形態のアームレスト装置１０Ｅ（図８に示す）と共通であるため、両者に共通の箇所に共通の符号を付して説明を省略する。
【００３２】
図１０は、第７の実施形態に係るアームレスト装置１０Ｇを示している。このアームレスト装置１０Ｇは、テッシュパッケージＴ１の長手方向の大きさに応じて移動させることが可能な移動式の調整部材８０を備えている。市販の箱形のテッシュパッケージＴ１のサイズはまちまちであり、例えば長手方向の大きさが２１ｃｍ〜２５ｃｍとばらつきがある。このためテッシュパッケージＴ１の大きさに応じた位置に調整部材８０を移動させることができるように、アジャスタ機構８１を備えている。アジャスタ機構８１の一例は、アジャスタねじ８２を回転させることによって、調整部材８０をテッシュパッケージＴ１の長手方向に移動させることができるように構成されている。それ以外の構成と作用について、このアームレスト装置１０Ｇは第１の実施形態のアームレスト装置１０Ａと共通であるため、両者に共通の箇所に共通の符号を付して説明を省略する。
【００３３】
図１１は、第８の実施形態に係るアームレスト装置１０Ｈを示している。このアームレスト装置１０Ｈは、テッシュパッケージＴ１の長手方向の大きさに応じてガイド８４に沿って移動させることが可能な移動式の調整部材８５を備えている。調整部材８５は保持機構８６によって所望の位置に止めることができる。保持機構８６の一例は、ねじ８７を緩める方向に回転させたときに調整部材８５を移動できるようにし、ねじ８７を締付けたときに調整部材８５を止めておくことができるように構成されている。第１の収納室４０ａと第２の収納室４０ｂとの間の仕切板８８に形成された凹部４０ｄにねじ８７を収容すれば、仕切板８８をフラットな形状にすることができ、第２の収納室４０ｂを広く使えるという利点がある。それ以外の構成と作用について、このアームレスト装置１０Ｈは第４の実施形態のアームレスト装置１０Ｄ（図７に示す）と共通であるため、両者に共通の箇所に共通の符号を付して説明を省略する。
【００３４】
図１２は、第９の実施形態に係るアームレスト装置１０Ｉを示している。このアームレスト装置１０Ｉは、アームレスト本体２１の長手方向に所定間隔で形成された複数の溝９０，９１を有している。これらの溝９０，９１のうち、テッシュパッケージの大きさに応じた位置の溝（９０または９１）に着脱式の調整部材９２を差し込むことにより、テッシュパッケージＴ１の長さのばらつきに対応できるように構成されている。それ以外の構成と作用について、このアームレスト装置１０Ｉは第１の実施形態のアームレスト装置１０Ａと共通であるため、両者に共通の箇所に共通の符号を付して説明を省略する。
【００３５】
図１３は、第１０の実施形態に係るアームレスト装置１０Ｊを示している。このアームレスト装置１０Ｊは、テッシュパッケージＴ１の大きさに応じた位置に取付けることが可能な着脱式の調整部材９５を有している。この調整部材９５に設けた嵌合部９６を、収納室４０の枠部９７等に嵌合させることにより、テッシュパッケージＴ１の大きさに応じた位置に調整部材９５を取付ける。それ以外の構成と作用について、このアームレスト装置１０Ｊは第１の実施形態のアームレスト装置１０Ａと共通であるため、両者に共通の箇所に共通の符号を付して説明を省略する。
【００３６】
図１４から図１９は第１１の実施形態に係るアームレスト装置１０Ｋを示している。図１４に示すようにシート１１の側部にアームレスト装置１０Ｋが設けられている。図１４は、アームレスト本体２１を第１の方向Ｒ１に回動させてストッパ３０によって第１の位置で止めた状態を示している。
【００３７】
このアームレスト装置１０Ｋのアームレスト本体２１は、ベース部材１００とボックス部１０１とを有している。ベース部材１００は、シート１１に設けられた回動軸（第１の軸）１０２を中心に、第１の方向Ｒ１と第２の方向Ｒ２とに回動可能である。この回動軸１０２は前記各実施形態の回動軸２０に相当する。
【００３８】
図１６に示すように、第１の回動軸１０２の軸線Ｑ１と反転軸１０３の軸線Ｑ２とのなす角度は９０度である。反転軸１０３の軸線Ｑ２は、アームレスト本体２１が第１の位置に移動した状態においてシート１１の前後方向に延びている。ボックス部１０１にはテッシュパッケージを収容可能な収納室４０が形成されている。
【００３９】
ボックス部１０１は、反転軸１０３を中心に、矢印Ｒ３で示す第３の方向（図１６に示す）と、矢印Ｒ４で示す第４の方向に回転させることができる。図１４は、ボックス部１０１が反転していない状態（非反転位置）を示している。図１７は、ボックス部１０１を１８０度反転させた状態（反転位置）を示している。すなわちこのボックス部１０１は、ベース部材１００に対して、図１４に示す非反転位置（ペーパ取出し口５０が下を向く位置）と、図１７に示す反転位置（ペーパ取出し口５０が上を向く位置）とにわたって、反転軸１０３を中心に少なくとも１８０度の範囲で回転させることができる。
【００４０】
またこのアームレスト装置１０Ｋは、アームレスト本体２１が第１の位置（図１４に示す使用位置）にあるときに、ボックス部１０１が反転軸１０３を中心に回転してしまうことを防ぐために、回り止め機構１１０を備えている。回り止め機構１１０の一例は、ロッド１１１と、ロッド１１１の先端を挿入可能な第１の凹部１１２と第２の凹部１１３とを有している。ボックス部１０１が前記非反転位置（図１４）にあるときに、ロッド１１１の先端が第１の凹部１１２に挿入されることにより、ボックス部１０１の回り止めがなされる。ボックス部１０１が反転位置（図１７）にあるとき、ロッド１１１の先端が第２の凹部１１３に挿入されることにより、ボックス部１０１の回り止めがなされる。
【００４１】
回り止め機構１１０の一例は、操作部１１５を図１６中の矢印Ｆ１方向に操作したときに、リンク１１６が支点１１７を中心に矢印Ｆ２方向に回動してロッド１１１が矢印Ｆ３方向に移動することにより、ロッド１１１の先端が第１の凹部１１２または第２の凹部１１３から抜ける。これにより、ボックス部１０１が第３の方向Ｒ３あるいは第４の方向Ｒ４に回転することができるようになる。
【００４２】
図１７に示すようにアームレスト本体２１のボックス部１０１を反転させ、その状態で図１８に示すようにアームレスト本体２１を第２の位置に起立させると、ボックス部１０１のペーパ取出し口５０がシート１１の後側を向く。このため図１９に示すように後側のシート１１Ｒに座っている人がテッシュペーパｔ１を容易に取出すことができる。それ以外の構成と作用について、このアームレスト装置１０Ｋは第１の実施形態のアームレスト装置１０Ａと共通であるため、両者に共通の箇所に共通の符号を付して説明を省略する。
【００４３】
なお本発明を実施するに当たって、アームレスト本体の収納室を有するボックス部をはじめとして、回動軸やストッパ、底板、ペーパ取出し口、リッド等の態様や構造、アームレスト装置を設ける位置や数、テッシュパッケージの形態等を種々に変更して実施できることは言うまでもない。
【符号の説明】
【００４４】
１０Ａ〜１０Ｋ…アームレスト装置、１１…シート、１２…背もたれ、２０…回動軸、２１…アームレスト本体、Ｒ１…第１の方向、Ｒ２…第２の方向、Ｓ…空間、３０…ストッパ、４０…収納室、４０ａ…第１の収納室、４０ｂ…第２の収納室、４１…ボックス部、４２…リッド、４３…底板、５０…ペーパ取出し口、７０，７５…弾性部材、８０，８５，９２，９５…調整部材、１００…ベース部材、１０１…ボックス部、１０２…回動軸（第１の軸）、１０３…反転軸（第２の軸）、１１０…回り止め機構、Ｔ１…テッシュパッケージ、ｔ１…テッシュペーパ。
【図１】
2014188358.tif 000003
【図２】
2014188358.tif 000004
【図３】
2014188358.tif 000005
【図４】
2014188358.tif 000006
【図５】
2014188358.tif 000007
【図６】
2014188358.tif 000008
【図７】
2014188358.tif 000009
【図８】
2014188358.tif 000010
【図９】
2014188358.tif 000011
【図１０】
2014188358.tif 000012
【図１１】
2014188358.tif 000013
【図１２】
2014188358.tif 000014
【図１３】
2014188358.tif 000015
【図１４】
2014188358.tif 000016
【図１５】
2014188358.tif 000017
【図１６】
2014188358.tif 000018
【図１７】
2014188358.tif 000019
【図１８】
2014188358.tif 000020
【図１９】
2014188358.tif 000021